(57)【要約】   【課題】   安価、構造簡単、操作容易で、故障知らず、故障しても早急な復旧ができ、誰でも取り扱いを可能とする装置を提供する。【解決手段】   貯水タンクへの給水と使用給水口への給水とを一つのバルブで開閉して、貯水タンクからの水を上部給水管と下部給水管からとして、タンクに貯水のために設けた、下部給水管に設置したバルブを上記バルブと連動開閉させ、常時、使用中、貯水タンクの水を入れ替え新鮮にして、断水時その貯水を使い、その連動開閉を一つのレバーで行う。【選択図】  図２
2007085003.tif 000002
【特許請求の範囲】
【請求項１】
貯水タンク内の上から順に、タンクの給水パイプの最上部の給水口、タンク溢水パイプの最上部の給水口、タンク上部給水パイプの最上部の給水口、タンク下部給水パイプの最上部の給水口とした、水の使用場所より高い位置に設置した貯水タンクを持ち、貯水タンク給水量より下部給水量が少なくなるように、貯水タンクへ給水するバルブと貯水タンクの下部給水パイプに設置した貯水タンクから水を取り出すバルブを操作して、貯水タンク水位をあげ、その水を上部給水パイプの開口に流入させて、断水時その貯水を使い、また水の使用場所にある水使用給水口へ有圧の水を給水操作するバルブを設置し、それらのバルブを連動操作するを特徴とするタンク付き断水時水供給水栓装置。
【請求項２】
貯水タンク給水量と下部給水量を同じにした請求項１の装置
【請求項３】
貯水タンクへの給水パイプと水使用給水口への給水パイプとを同一のパイプとして、貯水タンクの中に挿入し、途中貯水タンク用給水口を設け、貯水タンクの外部より挿入され、タンク上部に開口を持つ上部給水用パイプ内に挿入し、貯水タンクの外に出した請求項１の装置
【請求項４】
貯水タンクの上部給水用パイプと下部給水パイプとを接続合流した請求項２の装置
【請求項５】
貯水タンクからの水と水使用給水口への給水パイプからの有圧水を一緒に使用する請求項１の装置
【請求項６】
タンク下部に着脱可能な貫通穴付き蓋を持ち、その貫通穴に貯水タンクの給排水のパイプを挿入、設けた請求項１の装置
【請求項７】
貯水タンクへの給水と水使用給水口への有圧給水を一つのバルブとし、そのバルブと下部給水パイプに設置したバルブをボールバルブとして連動操作する請求項１の装置。
【発明の詳細な説明】
【技術分野】
【０００１】
本発明は、家庭で災害などによる、断水時に原水が供給不能に陥っても、ある一定期間水を確保出来る装置に関する。
【背景技術】
【０００２】
水を確保する方として、予めバケツ、容器に汲み置く、常時貯えられていたタンクの水を利用するがある。
【０００３】
しかし例えば容器、バケツに汲み置くのは煩わしいし、予めその断水日時を知っていなければならない。汲み置きの水はそのまましておくと腐ってしまい、捨てなければならなくなり、無駄になる。また台風などの災害にあっても、断水するとは限らないので、ついそのままにしてしまう。使用場所より高い位置の開放タンクの場合、水を重力で圧送配水するので、断水、常時を問わず圧送水が得られるが、ある高さ以上なら揚水動力が必要であるし、コストがかかる。使用場所より低い位置の開放型貯水タンクはボールタップなどの自動給水装置を付けなければならず、給水装置の水漏れなどの故障が多いし、給水には動力が必要である。密閉型タンクの場合、水道管直結なので自動給水装置はいらないが、水圧に耐えられるように頑丈に作らねばならなくコスト、重さに問題があるし、使用場所が高い場合は給水動力が必要である。
また水は常に使用しないと死水になる。
【０００４】
この改善策として多くのアイデアが提案されている。例えばボールタップを使いトイレの天井近くの開放型タンクに自動給水し、貯め、死水を作らないように、普段継続的に使用しているトイレに重力落下で流し、断水時、重力給水するがあるが、普段、常時には圧送水が使えない。
【特許文献１】特許第２９０５８３９
【発明の開示】
【発明が解決しようとする課題】
【０００５】
解決しようとする問題点は普段、圧送水が使えない、コストと動力がかかる、それに使い勝手の悪さの点である。
【課題を解決するための手段】
【０００６】
本装置は台所などの使用場所ごとに設置して、使用時、１本のレバーで同時に、有圧原水をタンクと末端使用給水口に給水する元栓と、タンクの底部に設けられた貯水タンク底部取り出し給水栓を連動して開閉して給水する。
一本のレバーを操作すればよいので格段に使い勝手がよい。人間は複数のバルブを目にすると頭が混乱し、ストレスを感じるが一つのレバー、ハンドルなので老若男女問わず、誰でも操作出来る。
開放貯水タンクと末端使用給水口に同時に原水の持つ圧力で有圧供給し、また貯水タンクからの給水と末端使用給水口の有圧水を単独でまたは混ぜて使うので勢いのある水を使える。停止時は元栓とタンクからの貯水タンク底部取り出し給水栓を同時（連動して）に閉め、貯水タンクと末端使用給水口への給水と貯水タンク底部取り出し給水栓からの流出を同時に止めるので、供給水は確実に止まり、タンクから貯水が流れ出さない。断水時は元栓、給水栓を開けて（連動しているので）貯水タンク底部取り出し給水栓から、その貯まった貯水タンクの水を流して使う。
【発明の効果】
【０００７】
本発明の装置は開放タンクなので低コスト、容易な設置、しかも開放タンクなのに無動力で普段、圧送されてきた有圧の原水がそのまま使え、断水時は貯水タンクの水が使える。
普段、使用時、常に貯水タンクの水が入れ替わっているので新鮮である。
断水、非常時タンク貯水量として、１人あたり１日３リットル、３日分有ればよいといわれ、３人家族で約３０リットルのタンク容量があればよいので小型化出来る。
可動部が２個のバルブしかない簡単な構造で故障しにくく、取り扱いが簡単である。故障しても早急な復旧が実現できる。
既製品の容器を貯水タンクに流用出来る。
構造が簡単、低材料費なので安価が期待でき、また操作も簡単なので一家に一台常備しやすい。
【発明を実施するための最良の形態】
【０００８】
常時、断水時、機能を損なわずに、安価、汎用、市販されている部品、最少な部品点数、簡易、容易な設置、操作で実現した。
【実施例】
【０００９】
図１は本装置を取り付けた状態の斜視図である。台所など常に水を使う所に設置し、死水を造らなくする。原水からの給水管は地震時余計な力が加わらないように可とう管３−９が望ましい。
止水バルブ２−１と２−２のハンドルを統合したレバー、ハンドル６を操作し、自在水栓３−１０から水を出し、使用する。
この装置を保持、支持する台１−３にこの装置を載せ、タンク１−１の蓋部１−２を台１−３と固定し、固定用バンド１−４で容器１−１のみを着脱できるようにする。容器１−１を外せばこの装置の内部を点検、修理、清掃出来る。本装置の材質は水を使用するので腐食しにくいものがよい。この装置の一部または全部を環境に応じて保冷または保温の断熱材で覆ってもよい。
【００１０】
図２は本装置の基本的な仕組み、構造を表したもので、原水を止水と流量調整機能を持ったバルブ２−４を操作し、水使用場所より高い位置に配置された貯水タンク１−１へ水を送る給水パイプ３−１を通してタンク１−１に入れる。給水パイプ３−１の出口位置は、異常に水位が上がった時、外部に逃す溢水パイプ３−５の入口より高くすれば給水元が負圧になって水は引っ張られなく、汚染しない。原水を止水と流量調整機能を持ったバルブ２−５を操作し、使用場所の使用給水口に水を送る給水口パイプ３−４を通して、使用場所の使用給水口に給水する。タンク内の水は止水と流量調整機能を持ったバルブ２−６を操作し、タンクの底部から使用場所の使用給水口に水を送る下部給水パイプ３−２を通し、使用場所の使用給水口に給水する。またタンクの上部に開口を持つ上部給水パイプ３−３を通して使用場所の使用給水口に給水する。
バルブ２−４、２−６を開け操作して下部給水パイプ３−２の方が給水パイプ３−１より流量を少なくすれば、下部給水パイプ３−２から使用場所の使用給水口に給水しながら、タンク内の水位は上がっていき、上部給水パイプ３−３の開口に流れ込み、水位はこれ以上、上がらない。圧力を有する水を使いたければ、バルブ２−５を操作し、使用場所の使用給水口に水を送ればよい。バルブ２−４、２−６を閉操作すれば水位はその状態を保つ。
断水時、バルブ２−４、２−６を開け操作すると、給水パイプ３−１からは水は給水されないが、タンク内の貯まっていた水は下部給水パイプ３−２を通して使用場所の使用給水口に給水出来る。非常用水として使用出来たのである。（Ａ）
タンク内の水位を所望の位置にしてから、バルブ２−４、２−６を開け操作して下部給水パイプ３−２と給水パイプ３−１からの流量を同じにすれば、下部給水パイプ３−２から使用場所の使用給水口に給水しながら、タンク内の水位は維持でき、圧力を有する水を使いたければ、バルブ２−５を操作し、使用場所の使用給水口に水を送ればよい。バルブ２−４、２−６を閉操作すれば水位はその状態を保つ。
断水時、バルブ２−４、２−６を開け操作すると、給水パイプ３−１からは水は給水されないが、タンク内の貯まっていた水は下部給水パイプ３−２を通して使用場所の使用給水口に給水出来る。非常用水として使用出来たのである。（Ｂ）
タンクからの入水、出水を容易にするために溢水管３−５より上の位置に通気管１−５を設ける。故障などで異常水位になった場合、タンク最大入水量以上を流せる溢水管３−５を設け安全に外部へ放出する。パイプ、管の断面の形状はどういうものでもよいし、太さはそのパイプの役目を満足させるサイズのものとする。
バルブは一般的なもので、開閉のほか、開閉角度を調節すれば流量調節バルブにもなる。
【００１１】
図３は蓋付き容器１−１を逆さにして貯水タンクとして使い、図２の操作を連動にして簡単、やさしくしたものである。
まず、溢水パイプ３−５と通気パイプ１−５を一緒にした両端が開放したパイプ３−６を蓋１−２から貫通させ、タンクの上部に持っていく。
タンクの貯水の上部をタンク外に給水する上部給水パイプ３−３を蓋１−２から貫通させ、タンク上部に持っていく。
給水パイプ３−１と給水口パイプ３−４を一緒にした給水パイプ３−７をタンク下方外部よりパイプ３−６内に挿入し、パイプ３−３内に挿入し、タンク内を一巡させる。途中にバルブ２−４を付ける。パイプ３−７のバルブ２−４以降はパイプ３−４になる。またパイプ３−７の入口付近に止水と流量調整機能を持ったバルブ２−３、最大流量調整機能を持ったバルブ２−７を付ける。
タンク下部の貯水をタンク外に給水する下部給水パイプ３−２を蓋１−２に貫通させて取り付ける。そのパイプに最大流量調整機能を持ったバルブ２−９と止水と流量調整機能を持ったバルブ２−６、を付ける
原水をバルブ２−３から入れ、一部をバルブ２−４からタンクに給水し、残りを使用給水口に送る。普段、バルブ２−４はいじくれないのでバルブ２−４からのタンク給水量はバルブ２−３，２−７，２−５で調整する。
バルブ２−９，２−６を調整してバルブ２−４からの給水量よりパイプ３−２からの給水量を少なくすればタンク水位はあがっていく。バルブ２−４の出口、パイプ３−６の上端開口位置より低い所に、所望の水位の位置の上部給水管３−３開口を置けばそこに流れ込み、水位はあがらない。この場合タンク内の水は、上部給水管３−３、下部給水管３−２両方から水は出ていき、入れ替わり、いつも新鮮である。。上部給水管３−３のサイズは給水パイプ３−７の最大給水量より大きく流せるように取れば安全である。連動してバルブ２−３，２−６を閉めれば、貯水タンクからの流出は止まり、タンク内の水は断水時の非常用水として利用出来る。使用給水口への給水もとまる。バルブ２−３を開ければ連動してバルブ２−６は開き、貯水タンクへの給水と流出、使用給水口への給水が始まる。以降繰り返す。
上部、下部給水管３−３，３−２は途中で連結接続して合流させてもよい。バルブ２−３，２−６はボールバルブがよい。蓋１−２は本体タンクと分離出来るようにパッキン４−１で封水する。もちろんパイプと蓋の貫通部は漏れないようにする。バルブ２−３，２−６を操作するレバー６だけが目に触れるように、この装置の操作方法、注意書きなどを記載したカバー９でバルブ類を隠してもよい。外部に開放通気しているパイプ３−６，３−３を防虫網５−１，５−２で塞いでもよい。網が詰まった場合、意外な所に水が行かないように、スッポと抜け落ちるようにしたほうがよい。
またタンク内だけに水を補給する場合は、不透水のキャップ５−３をパイプ３−３にかぶせ、タンク内に逆流させ貯水してもよいし、バルブ２−５を閉め、バルブ２−３だけを開け、満水になったらバルブ２−３を元に戻して閉め、バルブ２−６と一緒に開け使用を開始してもよい。無駄水を無くせる。前記の操作は一度だけ行えばよい。後述するように、レバー６に工夫、細工をして行ってもよい。
【００１２】
図４はバルブ２−４、連続調節バルブ２−７，２−９は一度調整すれば、めったにいじくらないので、その代わりに、貫通穴の大きさ、数を変えた固定流量調節板１０−１，１０−２，１０−３を付けたものである。可動部が２個のバルブ２−３，２−６しかないので故障しにくい。設置が簡単、コストが安い、外部の人にいじくられないの良い点がある。またパイプ間の間隙を保つようにセパレータ８−１を設置してもよい。
【００１３】
図５は給水口パイプ３−４をタンク外部に出し、連続調整バルブ２−７，２−９を付けたものである。タンク、給水口への流量、比率を手元で楽に調節出来る。
【００１４】
図６は蓋１−２の貫通穴を一つにするために、入れ子式にしたものである。穴が一つなのでスッキリまとまり、加工が容易、水漏れが少ない。
タンク内で開放口位置が低い順に外側から入れ子式に入れていく。有底のパイプ３−２を蓋１−２に貫通させる。そのパイプ３−２の内側に有底のパイプ３−３を挿入し、パイプ３−２の底を貫通させる。有底のパイプ３−６をパイプ３−３の内側に挿入し、パイプ３−３の底を貫通させる。最後にパイプ３−１をパイプ３−６の底に貫通させ、内側に挿入させる。水の取り出しは各パイプの底部に貫通穴を付けて取り出す。専用のタンクを作製するのならタンクの上面１−６または側面上部１−７に点検口を付けたほうがよい。清掃、修理などに便利である。タンク内部が見えない不透明な材質の場合は、見えるように透明、半透明なのぞき窓１−８を付けてもよい。外から水位、汚れ具合などが分かる。
【００１５】
図７は水使用口での水の混合方法を表したものである。それぞれのパイプ３−２，３−３，３−４からの水をそのまま使う。３−２，３−３、３−４のパイプの水を任意に配置出来る。（Ａ）。
パイプ３−２の水を混ぜたパイプ３−３の水とパイプ３−４の水を使う．３−３と３−４のパイプの水を任意に配置出来る。（B）
パイプ３−２の水を混ぜたパイプ３−３の内側にパイプ３−４を挿入し先端にノズルを付けたもの。バルブ２−５でもよい。ノズルは市販品を利用してもよい。口径Ｌ２＜Ｌ１なら水勢は強くなる。距離Ｌ３を大きくすれば混合比は高まる。Ｌ３を小さくするまたは突き出せばノズルの水は際立つ。食器の汚れをパイプ３−４のノズルの強い水勢ではがし、たっぷりな水量の３−３の水で流れ落とす使い方もある。図には描いてないがパイプ３−２の水を混ぜたパイプ３−３の外側にパイプ３−４を挿入してもよい。先端口の周囲が強く、内側が弱い水流が得られる。（Ｃ）
パイプ３−２、３−３，３−４の水をほぼ完全に混合するもので、板の上辺、下辺を９０度ひねったもの８−２を複数枚、各板の上辺、下辺が平行になるようパイプ３−３内に直列挿入したもの。水勢は弱まるが均質な水勢が得られる。（Ｄ）
【００１６】
図８は本装置用の自在水栓で、一般の自在水栓の内側にもう一本パイプ３−４用の水栓を設けたもので、充分な水が流れるように、セパレータ８−１でパイプ３−３用の水栓との保持と間隙を保つ。パイプ３−３，３−４に凹み、くぼみの溝を設け、密閉用、保持用Ｏ形パッキン４−２を挿入し、回転出来るようにしたものである。一般の自在水栓と同じように使える（Ａ）。
内管３−８、外管３−７に可とう性を持つパイプ例えば蛇腹を使用して、パイプ３−４，３−３に取り付けたものでもよい。つぶれにくい可とう性を持つパイプなら、充分な水が流れるように設置したセパレータ８−１は先端の給水口近辺だけに付けても良い。（Ｂ）
【００１７】
図９はタンク本体とパイプを貫通させた蓋の取り付け方を表したもので、本体１−１のネジが切ってある断面が円形の本体、開放口１−１５にその開放口の口径に合わせ、また縁に当たるように、パイプ３−３などを貫通、設定した板４−６または鍔付き板４−５を封水用Ｏ型パッキン４−１を介して、中央部にパイプを通す貫通穴があり、ネジを切ってある蓋１−１１を回し、開放口１−１５に締め付け固定するものである。（Ａ）
断面が任意の形の本体口にボルト取り付け用貫通穴１−９を設定し、ボルト取り付け用貫通穴１−９と中央部にパイプを通す貫通穴を持つ蓋１−１０を設定し、貫通穴同士をボルトで締め付けるもの。（Ｂ）
既製の板４−５または４−６が小さい、開放口１−１５が大きすぎる場合、パイプを貫通させる穴を中央部に持つアダプター用板１−１２及びそのＯ型リング４−４を使い、蓋１−１３にパイプを貫通させる穴を開け、図のようにねじ込んで対応させる。（Ｃ）
断面が任意の形の本体口で既製の板４−５または４−６が小さい、開放口１−１５が大きすぎる場合、パイプを貫通させる穴を中央部に持つアダプター用板１−１２及びそのＯ型リング４−４を使い、本体開放口に複数枚のボルト取り付け用貫通穴１−９を持つ板を本体開放口に接着またはバンド１−１６で締め設定する。押さえ板１−１４にパイプを貫通させる穴とボルト取り付け用貫通穴１−９を開け、図のように本体開放口の貫通穴１−９とボルトで締め付けて対応させる。（Ｄ）
以上のようにすればほとんどの容器が貯水タンクに流用出来る。
【００１８】
図１０はバルブ２−３と２−６を一つのレバー、ハンドルで連動、開閉させる機構を表したものである。
互いのバルブ開閉軸６−５，６−６を平行に同じ直線上に対峙させ、それぞれの操作軸６，６−１を直角に付ける。メインレバー６の中間に棒６−２の経より大きめの貫通穴６−６を設け、他方のレバー６−１上に棒６−２の一端を固着させ、他端を貫通穴６−６に挿入する。回転範囲を制限するようにストッパー６−４を付けても良い。レバー６を回せば、一緒にレバー６−１は回り、それぞれの開閉軸も回り、バルブを開閉出来る。ある程度の力をレバー６に加えないと動かないようにストッパーを付けても良い。板バネ６−７の一端を開閉軸に固定し、他端に滑りボールを付け、円弧上に設けた複数の溝６−８に滑りボールが圧着するように板バネを撓らせたものである。レバー６に力を加えると滑りボールは溝から出て隣の溝に移り、レバーは回転する。（Ａ）
レバー６−１を単独で動かすために、レバー６に棒６−２が入る細長い貫通穴６−９を設け、調整移動出来るストッパー６−１０で貫通穴の範囲を制限し、，６−１の単独回転角度θ１を制限する。
レバー６−１を回すと角度θ１まで単独に回せる。軸６−５をバルブ２−３に軸６−６をバルブ２−６に対応させれば空のタンクのみに給水出来る。手放せばレバー６−１が元に戻るように、うずまきバネ７−１の一端を開閉軸６−６に、他端をバルブ外体に接続する。レバー６−１が戻りすぎないようにストッパー６−４をレバー６に当たるように付ける。レバー６を回して通常通りに使う。
ストッパー６−４を無くし、開閉軸６−６に互いに逆向きの渦巻きバネ７−２，７−３を付ける。そのバネを調節してレバー６を放したとき、θ１がゼロに、中心に来るようにする。タンクのみに補給する場合、レバー６−１を回す。タンクの水を排水する場合、レバー６を給水と反対方向に回す。水が無駄にならない。また扱い易いように、もう一つの取っ手、レバー６−１１を直角に付けてもよい。（Ｂ）図３で予告した方法。
【００１９】
図１１はセパレータと固定型流量調節板を表したものである。
離隔板８−３をパイプの内側に付ける。板８−３をパイプの外側に付ける、パイプに接するように、離隔板を付けた、または離隔用の突起を形成した帯状の板を内接８−４、外接８−５させ、離隔距離を保つ。板８−３の幅を広くすれば水の流れを一方向にする整流器になる（Ａ）。
貫通穴の径１０−４の大きさを調節し、または穴の数１０−５を加減調節して流量を調整する（Ｂ）。
【００２０】
図１２はタンク内の水に死水を造らないように、入れ替わるようにタンク給水口、下部給水口に付けたアダプターを表す。
パイプ３−９に多数の貫通穴を開け、水中に挿入したもの。パイプ断面形はどのようなものでもよい。パイプ３−１０に多数の貫通穴を開け、下部給水口に被せたもの。図では円錐形である。パイプ３−１１に複数のスリットをあけ、下部給水口に被せたもの。ゴミなどを沈殿させるために、アダプターの最下部の穴をタンクの底より上に位置させた場合は沈殿物を排出するドレーンバルブ２−１０を付ける。
以上機械的バルブの操作を述べてきたが、本発明の主旨にはずれるが、バルブを電動バルブに置き換え、バルブ操作をプログラミングして、本装置を使用してもよい。
【産業上の利用可能性】
【００２１】
本装置はどこでも簡単に設置、取り付けられ、水を使用すれば、知らないで自動的に非常用貯水がなされ、また一本のレバーで水の給水、停止操作が出来るので、仕組み、原理が分からない者でも扱え、断水時、水が必要なあらゆる所に設置出来る。設置すべきである。災害断水時、この装置が普及していれば、自治体、役所は余裕を持って水の手配が出来る。
【図面の簡単な説明】
【００２２】
【図１】本装置を取り付けた状態の斜視図である。
【図２】本装置の基本的な仕組み、構造を表したもの
【図３】通気管の機能をもたせた溢水、給水管の図
【図４】固定流量調節板を設置したもの
【図５】給水口をタンク外部に出し、連続調整付けたもの
【図６】蓋の貫通穴を一つにするために、入れ子式にしたもの
【図７】使用口での水の混合方法を表したもの
【図８】本装置用の自在水栓
【図９】タンク本体とパイプを貫通させた蓋の取り付け方を表したもの
【図１０】二個のバルブを一つのレバー、ハンドルで連動、開閉させる機構を表す。
【図１１】セパレータと固定型流量調節板を表したもの
【図１２】給水口、下部給水口に付けたアダプターを表す。
【符号の説明】
【００２３】
１−１  タンク
１−２  タンクの蓋  
１−３  取り付け台
１−４  バンド
１−５  通気管
１−６  点検口
１−７  点検口
１−８  覗き窓
１−９  ボルト取り付け穴付き板
１−１０  蓋
１−１１  蓋
１−１２  アダプター
１−１３  蓋
１−１４  押さえ、取り付け金具
１−１５  タンク開放口
１−１６  結束バンド
２−１  開閉バルブ
２−２  開閉バルブ
２−３  開閉バルブ
２−４  流量調整バルブ
２−５  流量調整バルブ
２−６  開閉バルブ
２−７    流量調整バルブ
２−９  流量調整バルブ
２−１０  ドレンバルブ
３−１  タンク給水管
３−２  タンク下部給水管
３−３  タンク上部給水管
３−４  使用口給水管
３−５  タンク溢水管
３−６  通気、溢水兼用管
３−７  可とう性外側管
３−８  可とう性内側管
４−１  封水用パッキン
４−２  封水用パッキン
４−３  封水用パッキン
４−４  封水用パッキン
４−５  パイプ取り付け板
４−６  パイプ取り付け板
５−１  防虫網
５−２  防虫網
５−３  キャップ
６  主レバー
６−１  副レバー
６−２  引っかけ棒
６−３  貫通穴
６−４  ストッパー
６−５  バルブ軸
６−６  バルブ軸
６−７  板バネ
６−８  溝付き板
６−９  開度調整貫通穴
６−１０  ストッパー
６−１１  補助レバー
７−１  渦巻きバネ
７−２   渦巻きバネ
７−３  渦巻きバネ
７−４  渦巻きバネ
８−１  セパレータ
８−２  混合板
８−３  離隔板
８−４  離隔板
８−５  離隔板
９  カバー
１０−１  流量調整板
１０−２  流量調整板
１０−３  流量調整板
１０−４  穴径
１０−５  穴数
【図１】
2007085003.tif 000003
【図２】
2007085003.tif 000004
【図３】
2007085003.tif 000005
【図４】
2007085003.tif 000006
【図５】
2007085003.tif 000007
【図６】
2007085003.tif 000008
【図７】
2007085003.tif 000009
【図８】
2007085003.tif 000010
【図９】
2007085003.tif 000011
【図１０】
2007085003.tif 000012
【図１１】
2007085003.tif 000013
【図１２】
2007085003.tif 000014